(57)【要約】【課題】  各光ディスクに適したライトストラテジ情報を全て保持しておく必要が無く、予め最適のライトストラテジ情報が判明していない光ディスクに対しても最適な記録が行えるようにした光記録方法及び光記録装置を得る。【解決手段】  光ディスク１６０に記録されたライトストラテジの推奨値と、記録に用いられる光記録装置の特性に基づいて、記録に用いるライトストラテジを決定し、光ディスク１６０に記録された推奨アシンメトリ値の記録条件である対物レンズの開口数ＮＡ１と記録に用いられる光記録装置の対物レンズ１５０の開口数ＮＡ２の差に基づいて推奨アシンメトリ値を決定し、決定されたライトストラテジとアシンメトリ値に基づいて光ディスク１６０に対する記録を行う。【選択図】        図１   
2005251258.tif 000002
【特許請求の範囲】
【請求項１】
ライトストラテジ推奨値が記録された光記録媒体から、前記ライトストラテジ推奨値を読み取る読み取り工程と、
読取られたライトストラテジ推奨値と、記録に用いられる光記録装置の光ピックアップの光学系の特性とに基づいて、記録に用いるべきライトストラテジを求める決定工程と、
求められたライトストラテジを用いて、前記光記録装置により、前記光記録媒体への書き込みを行う書き込み工程と
を有する光記録方法。
【請求項２】
前記ライトストラテジがマルチパルス型のものであり、
前記決定工程が、
前記ライトストラテジ推奨値に含まれる各マークを記録するためのライトストラテジの先頭パルスの幅の推奨値の、前記ライトストラテジ推奨値に含まれる最短マークを記録するためのライトストラテジの先頭パルスの幅の推奨値の２乗に対する比に基づいて、各マークを記録するためのライトストラテジの先頭パルスの幅を求めることを特徴とする請求項１に記載の光記録方法。
【請求項３】
前記決定が、記録に用いられる光記録装置について予め定められている計算式を用いた演算により行われることを特徴とする請求項２に記載の光記録方法。
【請求項４】
ライトストラテジの各マークを記録するためのライトストラテジについて、実験により再生ジッタが最小となる先頭パルスの幅を求め、前記実験により求められた先頭パルスの幅が算出結果又はそれに近似する値となるような計算式を生成しておき、
生成された計算式を、前記決定工程における演算に用いることを特徴とする請求項３に記載の光記録方法。
【請求項５】
前記計算式が
ｉＴＦ＝Ｋｉ・（ｉＴＰ／１ＴＰ＾２）＋Ｃｉ      …（１）
（ｉＴＦは、ｉ番目に短いマークを記録するために用いられるライトストラテジの先頭パルスのパルス幅、
ｉＴＰは、ｉ番目に短いマークを記録するためのライトストラテジ推奨値の先頭パルスのパルス幅、
１ＴＰは、最短マークを記録するためのライトストラテジ推奨値の先頭パルスのパルス幅、
Ｋｉ、Ｃｉは、ｉ番目に短いマークを記録するために用いられるライトストラテジの決定のための定数）
で表されることを特徴とする請求項３又は４に記載の光記録方法。
【請求項６】
前記読み取り工程が、前記光記録媒体から波長推奨値をも読み取り、
前記計算式が
ｉＴＦ＝Ｋｉ・（ｉＴＰ／１ＴＰ＾２）＋Ｃｉ＋Ｄｉ×｜λ２−λ１｜      …（２）
（ｉＴＦは、ｉ番目に短いマークを記録するために用いられるライトストラテジの先頭パルスのパルス幅、
ｉＴＰは、ｉ番目に短いマークを記録するためのライトストラテジ推奨値の先頭パルスのパルス幅、
１ＴＰは、最短マークを記録するためのライトストラテジ推奨値の先頭パルスのパルス幅、
λ２は、記録に用いられる光記録装置のレーザ光の波長、
λ１は、波長推奨値、
Ｋｉ、Ｃｉ、Ｄｉは、ｉ番目に短いマークを記録するために用いられるライトストラテジの決定のための定数）
で表されることを特徴とする請求項３又は４に記載の光記録方法。
【請求項７】
前記読み取り工程が、前記光記録媒体から波長推奨値をも読み取り、
｜λ２−λ１｜が所定値以下のときは、前記計算式が
ｉＴＦ＝Ｋｉ・（ｉＴＰ／１ＴＰ＾２）＋Ｃｉ      …（１）
で表され、
｜λ２−λ１｜が前記所定値を超えるときは、前記計算式が
ｉＴＦ＝Ｋｉ・（ｉＴＰ／１ＴＰ＾２）＋Ｃｉ＋Ｄｉ×｜λ２−λ１｜      …（２）
で表される
（ただし、式（１）及び（２）において、
ｉＴＦは、ｉ番目に短いマークを記録するために用いられるライトストラテジの先頭パルスのパルス幅、
ｉＴＰは、ｉ番目に短いマークを記録するためのライトストラテジ推奨値の先頭パルスのパルス幅、
１ＴＰは、最短マークを記録するためのライトストラテジ推奨値の先頭パルスのパルス幅、
λ２は、記録に用いられる光記録装置のレーザ光の波長、
λ１は、波長推奨値、
Ｋｉ、Ｃｉ、Ｄｉは、ｉ番目に短いマークを記録するために用いられるライトストラテジの決定のための定数）
ことを特徴とする請求項３又は４に記載の光記録方法。
【請求項８】
すべてのｉについてＤｉが互いに等しいことを特徴とする請求項６又は７に記載の光記録方法。
【請求項９】
４番目に短いマークを記録するために用いられるライトストラテジの先頭パルスのパルス幅が、５番目に短いマークを記録するために用いられるライトストラテジから最長マークを記録するために用いられるライトストラテジまでのすべてのライトストラテジでも用いられることを特徴とする請求項５乃至８のいずれかに記載の光記録方法。
【請求項１０】
前記読み取り工程が、前記光記録媒体から波長推奨値をも読み取り、
前記決定工程が、前記波長推奨値と、記録に用いられる光記録装置のレーザ光の波長とに基づいて、前記決定を行うことを特徴とする請求項１乃至５のいずれかに記載の光記録方法。
【請求項１１】
前記読み取り工程が、さらに推奨アシンメトリ値を読み取り、
前記推奨アシンメトリ値と、記録に用いられる光記録装置の対物レンズの開口数とに基づき、記録に用いられるアシンメトリ値を求めるアシンメトリ値を決定する決定工程をさらに含み、
前記書き込み工程が、前記求められたアシンメトリ値を用いて書き込みを行う
ことを特徴とする請求項１乃至１０のいずれかに記載の光記録方法。
【請求項１２】
前記光記録媒体に記録された推奨アシンメトリ値がβ１であり、
推奨値を決めるために用いられた対物レンズの開口数がＮＡ１であり、
記録に用いられる光記録装置の対物レンズの開口数がＮＡ２であるときに、
前記記録に用いられるアシンメトリ値β２を下記の式
β２＝β１＋Ｅ×（ＮＡ２−ＮＡ１）      …（４）
で求めることを特徴とする請求項１１に記載の光記録方法。
【請求項１３】
記録再生のための光学系を有する光ピックアップを備え、
ライトストラテジ推奨値が記録された光記録媒体から、前記ライトストラテジ推奨値を読み取る読み取り手段と、
読取られたライトストラテジ推奨値と、前記光ピックアップの光学系の特性とに基づいて、記録に用いるべきライトストラテジを求める決定手段と、
求められたライトストラテジを用いて、前記光記録媒体への書き込みを行う書き込み手段と
を有する光記録装置。
【請求項１４】
前記ライトストラテジがマルチパルス型のものであり、
前記決定手段が、
前記ライトストラテジ推奨値に含まれる各マークを記録するためのライトストラテジの先頭パルスの幅の推奨値の、前記ライトストラテジ推奨値に含まれる最短マークを記録するためのライトストラテジの先頭パルスの幅の推奨値の２乗に対する比に基づいて、各マークを記録するためのライトストラテジの先頭パルスの幅を求めることを特徴とする請求項１３に記載の光記録装置。
【請求項１５】
前記決定手段が、記録に用いられる光記録装置について予め定められている計算式を用いた演算により前記決定を行うことを特徴とする請求項１４に記載の光記録装置。
【請求項１６】
前記決定手段は、ライトストラテジの各マークを記録するためのライトストラテジについて、実験により再生ジッタが最小となる先頭パルスの幅を求め、前記実験により求められた先頭パルスの幅が算出結果又はそれに近似する値となるように予め定められた計算式で前記演算行うものであることを特徴とする請求項１５に記載の光記録装置。
【発明の詳細な説明】
【技術分野】
【０００１】
本発明は、光記録媒体に対して情報の記録を行うための光記録方法及び光記録装置に係わるもので、特に記録時に用いるライトストラテジを決定する方法に関するものである。
【背景技術】
【０００２】
従来の光記録装置の例として、光ディスクへの書込み時のライトストラテジの制御を行うストラテジ部を備えた記録再生装置と、前記ストラテジ部を動作させるストラテジ情報を記録したストラテジ情報記録部を備え、ストラテジ情報記録部に記録再生装置の装置情報および光ディスクの媒体情報に対応したストラテジ情報を記録させ、装置情報および媒体情報に対応するストラテジ情報をストラテジ情報記録部より読み出して媒体情報と共に記録再生装置に転送するようにしたものがある。この装置においてはさらに、ストラテジ記録部に標準ストラテジ情報を記録し、記録再生装置より転送された装置情報および媒体情報に対応するストラテジ情報がストラテジ情報記録部に記録されていない場合は標準ストラテジ情報を読み出して記録再生装置に転送するようにしていた（例えば、特許文献１参照）。
【０００３】
【特許文献１】特開２００２−５６５３１号公報（第１−９貢、第１−１５図）
【発明の開示】
【発明が解決しようとする課題】
【０００４】
上記の従来の光記録装置では、記録再生装置に装置情報および媒体情報に対応した多くのストラテジ情報を予め調査した上で光記録装置内に保持しておく必要があり多大な労力が必要であるとともに、多くのメモリ等の記憶装置が必要であった。また、記録再生装置に装置情報および媒体情報に対応するストラテジ情報が記録されていない場合は標準ストラテジ情報を使用するため、光ディスクおよび光ピックアップの光学条件によっては、記録条件の不整合等により正しく記録出来ない記録媒体が存在する問題点があった。
【０００５】
本発明は、上述の課題を解決するためになされたもので、第１の目的は各光ディスクに適したストラテジ情報を全て保持しておく必要が無く、大容量の記憶装置を必要としない光記録方法及び光記録装置を得ることである。
また、第２の目的は予め最適のストラテジ情報が判明していない光ディスクに対しても適切な記録が行えるようにした光記録方法及び光記録装置を得ることである。
【課題を解決するための手段】
【０００６】
本発明は、
ライトストラテジ推奨値が記録された光記録媒体から、前記ライトストラテジ推奨値を読み取る読み取り工程と、
読取られたライトストラテジ推奨値と、記録に用いられる光記録装置の光ピックアップの光学系の特性とに基づいて、記録に用いるべきライトストラテジを求める決定工程と、
求められたライトストラテジを用いて、前記光記録装置により、前記光記録媒体への書き込みを行う書き込み工程と
を有する光記録方法を提供する。
【発明の効果】
【０００７】
本発明によれば、光記録媒体に記録されたライトストラテジ推奨値に対して、記録に用いられる光記録装置の光ピックアップの光学系の特性に応じた適切なライトストラテジの決定を行うことができ、最適のライトストラテジを用いて記録を行うことができる。
しかも、事前に全ての光記録媒体について適切なライトストラテジを実験的に求めて記憶しておく必要がなく、労力やコストを節約することができ、また大容量のメモリを必要としないという効果がある。
【発明を実施するための最良の形態】
【０００８】
本発明の記録方法及び記録装置は、ライトストラテジ推奨値が予め記録された光ディスクへの記録を行うものである。ライトストラテジ推奨値は、当該光ディスクの記録に用いるのに適したライトストラテジを表すものであり、例えばプリピットの形で、光ディスクの所定の領域、例えば、リードイン領域に記録されている。
【０００９】
例えば、光ディスクが、情報を記録する溝からなるグルーブ部（図示しない）と、溝と溝の間のランド部（図示しない）から構成されており、記録媒体メーカが設定したライトストラテジ推奨値が推奨アシンメトリ値やレーザ波長などの記録条件とともにランド部に記録されている。
【００１０】
ライトストラテジ推奨値は、所定の条件で記録することを想定したものである。従って、記録条件が異なれば、ライトストラテジ推奨値とは異なるライトストラテジで記録を行うのが望ましい。本発明は、光ディスクから読み取られたライトストラテジ推奨値と、記録に用いられる光記録装置の光ピックアップの光学系の特性とに基づいて、ライトストラテジを決定し、決定したライトストラテジを用いて記録を行う。
【００１１】
実施の形態１．
以下、この発明の実施の形態を、図面を参照して説明する。
以下に説明する実施の形態における光記録方法は、色素系記録媒体に記録（追記）を行うものである。また、以下の実施の形態における光記録方法は、マークエッジ記録（ＰＷＭ記録）を行うものである。そして、光ディスク上に記録すべきデータに基づき、半導体レーザをマルチパルス発光させて、記録マークを形成することにより情報の記録を行っている。即ち、以下の実施の形態で用いられるライトストラテジは、マルチパルス型のものであり、マーク期間中に先頭パルスを有し、最短マーク以外では、先頭パルスに続く１つ以上のマルチパルスをさらに有する。そして、このようなマルチパルス型のライトパスルストラテジにおいて、以下に説明する実施の形態では、先頭パルスのパルス幅を、光記録装置の光ピックアップの光学系の特性に応じて変更することとしている。
さらにまた、以下に説明する実施の形態では、光ディスクへの情報の記録が、ＥＦＭ変調の３Ｔ〜１１Ｔ及び１４Ｔ（Ｔはチャネルクロック周期）のマークに対応したパターンの光パルスを光ディスクに照射することにより行われるものとする。
なお、最長マーク（長さ１４Ｔのマーク）は、シンクパターンである。
【００１２】
図１は本発明の実施の形態１に係る光記録再生装置１００の基本的な構成例を示す図である。図１において、レーザ光源としての半導体レーザ１１０はレーザ駆動部１２０により駆動制御されている。
【００１３】
データ再生時においては、半導体レーザ１１０から出射された、データ再生に必要な出力値（再生パワー）を有するレーザ光がコリメートレンズ１３０とビームスプリッタ１４０と対物レンズ１５０とを介して光ディスク１６０に集光照射される。光ディスク１６０からの反射光は、対物レンズ１５０を通った後にビームスプリッタ１４０により入射光と分離され、検出レンズ１７０を介して受光素子１８０で受光される。
上記のうち、半導体レーザ１１０と、コリメートレンズ１３０と、ビームスプリッタ１４０と、対物レンズ１５０、検出レンズ１７０とで光学系が構成され、この光学系と受光素子１８０とで光ピックアップが構成されている。
受光素子１８０は光信号を電気信号に変換する。受光素子１８０において変換された電気信号は、ヘッドアンプ１９０を介してデータデコーダ２００とプリピット検出部２１０とアシンメトリ検出部２２０とに入力される。データデコーダ２００は、入力された電気信号に復調やエラー訂正などの処理を行うことにより、光ディスク１６０に記録されたデータを生成（再生）する。
またプリピット検出部２１０は、入力された電気信号から、光ディスク１６０に記録すべきライトストラテジの推奨値であるライトストラテジ推奨値等の情報を含むプリピット情報を検出する。
【００１４】
アシンメトリ検出部２２０は、入力された電気信号をＡＣ（交流）カップリングし、ＡＣカップリングされた電気信号のピークレベルＡ１とボトムレベルＡ２を検出する。検出したピークレベルＡ１とボトムレベルＡ２から、以下の式（５）を用いて、アシンメトリ値βを算出する。
β＝（Ａ１＋Ａ２）／（Ａ１−Ａ２）      …（５）
ここで、ピークレベルＡ１、ボトムレベルＡ２は、最長スペースと最長マークが交互に現れる部分で発生するものであり、それらの値は、最短スペースと最短マークが交互に現れる部分のピークレベルとボトムレベルの平均値をゼロレベルとして表したものである。
【００１５】
図２は、アシンメトリ検出部２２０において、検出される再生信号のアシンメトリ値の検出例を示したものである。図２（ａ）にβ＜０の場合を示す。図２（ｂ）にβ＝０の場合を示す。図２（ｃ）にβ＞０の場合を示す。
【００１６】
データ記録時においては、データエンコーダ２３０は、記録すべき元データに対して、エラー訂正符号を付与し、データ変調を行って、半導体レーザ１１０への駆動信号の基本となる記録データを生成する。レーザ波形制御部２４０は、記録データに基きライトストラテジ信号を生成する。即ち、中央制御部２５０から３Ｔ乃至１１Ｔ及び１４Ｔのいずれかを指定する記録データが与えられると、レーザ波形制御部２４０は、そのような記録データに対応するライトストラテジ信号（発光パルス列の波形と略同一の波形を有する信号）を出力する。
レーザ駆動部１２０は、生成されたライトストラテジ信号に応じた駆動電流により半導体レーザ１１０を駆動する。半導体レーザ１１０から出射されたデータ記録に必要な出力値（記録パワー）を有するレーザ光がコリメートレンズ１３０とビームスプリッタ１４０と対物レンズ１５０とを介して光ディスク１６０に集光照射される。これにより、情報が記録される。
【００１７】
図３は、図１に示される光記録再生装置１００において、光ディスク１６０が色素系記録媒体である場合に、レーザ波形制御部２４０で生成されるライトストラテジの例を示したものである。図３（ａ）に、周期Ｔを有するチャネルクロックを示す。図３（ｂ）に、マークとスペースとからなる記録データを示す。図３（ｃ）に、図３（ｂ）の記録データを記録するためのライトストラテジ、即ち発光パルスパターンを示す。発光パルスパターンは、記録パワーレベルと再生パワーレベルとの間でレベルが変化し、記録パワーレベルにある期間が各パルスの幅と定義される。
【００１８】
最短マークは、３Ｔに対応する長さを有し、最長マークは１４Ｔに対応する長さを有する。
図３（ｂ）及び図３（ｃ）は、最短マークを記録し、次に４番目に短いマークを記録する場合を想定している。
【００１９】
図３（ｃ）の左側に示すように、記録データが最短マークの場合のライトストラテジは、１ＴＦのパルス幅を有する先頭パルスＦのみからなる。
図３（ｃ）の右側に示すように、記録データが４番目に短いマークを記録する場合のライトストラテジは、ＬＴＦのパルス幅を有する先頭パルスＦとそれに続く３個のマルチパルスＭからなる。
記録データがｎ番目（４＜ｎ＜１０）に短いマーク（（ｎ＋２）Ｔに対応する長さを有する）を記録する場合のライトストラテジは、ＬＴＦのパルス幅を有する先頭パルスＦとそれに続く（ｎ−１）個のマルチパルスＭからなる。
また、記録データが最長マーク（１４Ｔの長さを有するマーク）を記録する場合のライトストラテジは、ＬＴＦのパルス幅を有する先頭パルスＦとそれに続く１１個のマルチパルスＭからなる。
このように、４番目に短いマークから最長マークまでは、先頭のパルスの幅がいずれの場合もＬＴＦであり、互いに同じである。
記録データが２番目に短いマークを記録する場合のライトストラテジは、２ＴＦのパルス幅を有する先頭パルスＦとそれに続く１個のマルチパルスＭからなる。
記録データが３番目に短いマークを記録する場合のライトストラテジは、３ＴＦのパルス幅を有する先頭パルスＦとそれに続く２個のマルチパルスＭからなる。
記録されるマークが上記のいずれであっても、マルチパルスＭの幅はすべて同じである。
【００２０】
中央制御部２５０は、光記録再生装置１００の再生、書き込みの際に、装置の全体を制御するもので、データデコーダ２００からの再生データ、プリピット検出部２１０からのプリピット情報、及びアシンメトリ検出部２２０からのアシンメトリ値を受ける一方、データエンコーダ２３０、レーザ波形制御部２４０、レーザ駆動部１２０に制御信号を与える。
中央制御部２５０は特に、後に図４及び図５を参照して説明するライトストラテジの決定、特にそのパルス幅の算出、アシンメトリ値の計算、修正されたライトストラテジとアシンメトリ値を用いて行われる試し書きの制御などを行う。
【００２１】
中央制御部２５０は例えばＣＰＵと該ＣＰＵの動作のためのプログラムを格納したＲＯＭとデータを記憶するＲＡＭとを備えたもので構成される。ＲＯＭには、光記録再生装置１００の光ピックアップの光学系の特性を表すデータ、特に半導体レーザ１１０が発するレーザ光の波長λ２、光ピックアップの対物レンズ１５０の開口数ＮＡ２、標準の開口数ＮＡ１、後述の種々の計算のための定数（Ｋｉ、Ｃｉ、Ｄｉ）、比較に用いられるしきい値（Δλｔ）が記憶されている。また、ＲＯＭに格納されたプログラムは、後に図４及び図５を参照して説明されるライトストラテジの決定のための計算式及びアシンメトリ値の決定のための計算式を定義する部分を含む。
【００２２】
一般に、情報を記録する前に試し書きを行うことで記録パワーの最適化が行われる。以下にこの手順について説明する。
【００２３】
最初に、例えばランダムな記録データに対応した３Ｔ〜１１Ｔのマークとスペースとからなるテストパターンを用いて、記録パワーを変化させて光ディスク１６０への試し書きを行ない、次にこのテストパターンを記録した光ディスク１６０上の領域を再生し、アシンメトリ検出部２２０によりアシンメトリ値を検出し、検出されたアシンメトリ値を、中央制御部２５０において、目標とするアシンメトリ値と比較して最適の記録パワーを求める。
一般に、記録パワーを大きくすればアシンメトリ値は大きくなり、記録パワーを小さくすればアシンメトリ値は小さくなる。
中央制御部２５０では、互いに異なる複数の記録パワーに対応するアシンメトリ値の検出値を目標値と比較して、目標値に最も近い検出値を生じさせた記録パワーを最適の記録パワーとする。
なお、このようにする代わりに、一つの記録パワーで光ディスク１６０への試し書きを行なった後再生し、再生結果からアシンメトリ値を検出し、検出されたアシンメトリ値を、目標とするアシンメトリ値と比較して比較結果に応じて記録パワーを増減して最適値を求めるようにしても良い。
【００２４】
このような情報記録方法を基本として、本実施の形態においては、記録を行う際の発光ライトストラテジの先頭パルスのパルス幅を、光ディスク１６０に記録されているライトストラテジ推奨値と、記録に用いられる光記録装置の光ピックアップの光学系の特性とに基づいて計算により求め、求められたパルス幅を用いて記録を行う。
【００２５】
以下、図４を参照して本実施の形態の光記録方法の手順を説明する。
最初に記録に用いられる光ディスクが光記録装置に挿入されると、ステップＳ１において、光記録媒体から、ライトストラテジ推奨値、記録条件推奨値、即ち、各マークを記録するためのライトストラテジの先頭パルス幅の推奨値ｉＴＰ（ｉ＝１、２、３、Ｌ）、推奨アシンメトリ値β１、波長推奨値λ１を読み取る（ステップＳ１）。
ライトストラテジ推奨値には、各マークを記録するためのライトストラテジの先頭パルスのパルス幅の推奨値が含まれる。この先頭パルス幅の推奨値ｉＴＰとしては、少なくとも、
記録データが最短マークの場合の先頭パルスＦの推奨パルス幅１ＴＰと、
記録データが２番目に短いマークの場合の先頭パルスＦの推奨パルス幅２ＴＰと、
記録データが３番目に短いマークの場合の先頭パルスＦの推奨パルス幅３ＴＰと、
記録データが４番目に短いマークから最長マークまでの場合の先頭パルスＦの推奨パルス幅ＬＴＰとが読み取られる。
推奨アシンメトリ値β１は、試し書きにおいて記録パワーを決定する為の目標値となるものである。
波長推奨値λ１は、光ディスク１６０のライトストラテジ推奨値の記録条件のレーザ波長である。
【００２６】
次に、ステップＳ２において、読取られたライトストラテジ推奨値と、記録に用いられる光記録装置の光ピックアップの光学系の特性とに基づいて、記録に用いるべきライトストラテジを決定する（Ｓ２）。その詳細については後述する。
【００２７】
次に、ステップＳ３では、上記のようにステップＳ１で読取られた波長λ１と、ライトストラテジ推奨値や推奨アシンメトリ値β１を決めるために用いられた開口数ＮＡ１と、記録に用いられる光記録再生装置１００の対物レンズ１５０の開口数ＮＡ２とに基づき、以下の式（４）により、記録に用いるべきアシンメトリ値β２を求める（Ｓ３）。
β２＝β１＋Ｅ×（ＮＡ２−ＮＡ１）      …（４）
開口数ＮＡ１は、既知であり、開口数ＮＡ１を表すデータが予め中央制御部２５０内のＲＯＭに格納されている。また、対物レンズ１５０の開口数ＮＡ２、レーザ光の波長β２、及び定数Ｅを表すデータも中央制御部２５０内のＲＯＭに格納されており、これらを読み出して式（４）の計算に用いる。
【００２８】
然る後、記録の指示が与えられると、ステップＳ４において、上記のようにして求められたライトストラテジ及びアシンメトリ値を用いて前記光記録媒体への試し書きを行う。即ち、ステップＳ２において決定されたライトストラテジをレーザ波形制御部２４０に設定することにより、レーザ波形制御部２４０でテストパターンに基づいたライトストラテジを生成し、光ディスク１６０への試し書きを行う。このとき、上記のように求められたアシンメトリ値β２が、目標値として用いられる。即ち、テストパターンを記録した光ディスク１６０上の領域を再生し、アシンメトリ検出部２２０により検出されたアシンメトリ値とステップＳ３において算出されたアシンメトリ値β２と比較して両者が一致するように制御を行うことで、最適な記録パワーを決定する。
【００２９】
そして、この試し書きを行ってパワー調整を行なった後、ステップＳ５で、調整された記録パワーと、ステップＳ２で求められたライトストラテジと、ステップＳ３で求められたアシンメトリ値とを用いて、データの記録を行う。即ち、ステップＳ２において決定されたライトストラテジをレーザ波形制御部２４０に設定することにより、レーザ波形制御部２４０で記録データに基づいたライトストラテジを生成し、ステップＳ４において決定された記録パワーにより、光ディスク１６０への書き込みを行う。
【００３０】
なお、ステップＳ２で決定されたライトストラテジを、図１のレーザ波形制御部２４０に設定すれば、その後は中央制御部２５０が３Ｔ乃至１１Ｔ及び１４Ｔのいずれかを指定すれば、それに対応したライトストラテジ信号がレーザ波形制御部２４０から出力される。
【００３１】
図５は図４のステップＳ２の決定のための処理を詳細に示す。
最初に、図５のステップＳ２１においては、ステップＳ１において取得された波長推奨値λ１と、光記録再生装置１００の半導体レーザ１１０が発するレーザ光の波長λ２とから、（λ２−λ１）の絶対値を算出し、（λ２−λ１）の絶対値が所定のしきい値Δλｔ、例えば３ｎｍ以下であれば、ステップＳ２２乃至Ｓ２５の処理に進み、（λ２−λ１）の絶対値が上記のしきい値Δλｔ、例えば３ｎｍよりも大きいときは、ステップＳ２６乃至Ｓ２９の処理に進む。
【００３２】
ステップＳ２２においては、ステップＳ１において取得された推奨パルス幅１ＴＰと、定数Ｋ１、Ｃ１とから、以下の式（６）を用いて、記録データが最短マークの場合の先頭パルスＦのパルス幅１ＴＦを算出する。
１ＴＦ＝Ｋ１×（１ＴＰ／１ＴＰ＾２）＋Ｃ１    …（６）
（なお、本願において、「１ＴＰ＾２」は「１ＴＰの２乗」を表す。）
【００３３】
ステップＳ２３においては、ステップＳ１において取得された推奨パルス幅１ＴＰ，２ＴＰと、定数Ｋ２、定数Ｃ２とから、以下の式（７）を用いて、記録データが２番目に短いマークの場合の先頭パルスＦのパルス幅２ＴＦを算出する。
２ＴＦ＝Ｋ２×（２ＴＰ／（１ＴＰ＾２）＋Ｃ２    …（７）
【００３４】
ステップＳ２４においては、ステップＳ１において取得された推奨パルス幅１ＴＰ，３ＴＰと、定数Ｋ３、定数Ｃ３とから、以下の式（８）を用いて、記録データが３番目に短いマークの場合の先頭パルスＦのパルス幅３ＴＦを算出する。
３ＴＦ＝Ｋ３×（３ＴＰ／１ＴＰ＾２）＋Ｃ３    …（８）
【００３５】
ステップＳ２５においては、ステップＳ１において取得された推奨パルス幅１ＴＰ，ＬＴＰと、定数ＫＬ、定数ＣＬとから、以下の式（９）を用いて、記録データが４番目に短いマークから最長マークの場合の先頭パルスＦのパルス幅ＬＴＦを算出する。
ＬＴＦ＝ＫＬ×（ＬＴＰ／１ＴＰ＾２）＋ＣＬ    …（９）
【００３６】
ステップＳ２６においては、ステップＳ１において取得された推奨パルス幅１ＴＰと、定数Ｋ１、Ｃ１、Ｄ１とから、以下の式（１０）を用いて、記録データが最短マークの場合の先頭パルスＦのパルス幅１ＴＦを算出する。
１ＴＦ＝Ｋ１×（１ＴＰ／１ＴＰ＾２）＋Ｃ１＋Ｄ１×｜λ２−λ１｜    …（１０）
【００３７】
ステップＳ２７においては、ステップＳ１において取得された推奨パルス幅１ＴＰ，２ＴＰと、定数Ｋ２、Ｃ２、Ｄ２とから、以下の式（１１）を用いて、記録データが２番目に短いマークの場合の先頭パルスＦのパルス幅２ＴＦを算出する。
２ＴＦ＝Ｋ２×（２ＴＰ／１ＴＰ＾２）＋Ｃ２＋Ｄ２×｜λ２−λ１｜    …（１１）
【００３８】
ステップＳ２８においては、ステップＳ１において取得された推奨パルス幅１ＴＰ，３ＴＰと、定数Ｋ３、Ｃ３、Ｄ３とから、以下の式（１２）を用いて、記録データが３番目に短いマークの場合の先頭パルスＦのパルス幅３ＴＦを算出する。
３ＴＦ＝Ｋ３×（３ＴＰ／１ＴＰ＾２）＋Ｃ３＋Ｄ３×｜λ２−λ１｜    …（１２）
【００３９】
ステップＳ２９においては、ステップＳ１において取得された推奨パルス幅１ＴＰ，ＬＴＰと、定数ＫＬ、ＣＬ、ＤＬとから、以下の式（１３）を用いて、記録データが４番目に短いマークから最長マークの場合の先頭パルスＦのパルス幅ＬＴＦを算出する。
ＬＴＦ＝ＫＬ×（ＬＴＰ／１ＴＰ＾２）＋ＣＬ＋ＤＬ×｜λ２−λ１｜    …（１３）
【００４０】
上記ステップＳ２２乃至Ｓ２９において用いられる定数Ｋ１乃至ＫＬ、Ｃ１乃至ＣＬ、Ｄ１乃至ＤＬを表すデータは、中央制御部２５０内のＲＯＭに格納されており、これらが読み出されて式（６）乃至（１３）の計算に用いられる。
【００４１】
上記のようにステップＳ２においては、光ディスクから読み出されたライトストラテジ推奨値の先頭パルスのパルス幅に基づいて、記録に用いるライトストラテジの先頭パルスのパルス幅を決定している。言換えると、ライトストラテジの推奨値をそのまま用いず、ライトストラテジ推奨値を修正している。その理由は以下の通りである。
光ディスクには上記のように、所定の領域にライトストラテジ推奨値や、推奨アシンメトリ値や、レーザ波長などが記録されているが、光ディスク１６０にこのライトストラテジ推奨値を記録したときの記録条件における対物レンズの開口数ＮＡ１と、記録に用いられる光記録再生装置１００が有する対物レンズ１５０の開口数ＮＡ２とが異なる場合には、記録されているライトストラテジ推奨値とアシンメトリ値とを使用して記録パワーを決定すると、開口数の違いにより光ディスク１６０に与える熱量やその分布が異なってしまう。そのため、各マーク長に対して形成されるピットの大きさや形成される位置が異なりジッタが悪化してしまう。特に、形成される位置のシフトはジッタへの影響が大きい。そこで記録条件の差異、特に開口数の違いを補償するため、ライトストラテジの修正乃至は最適化を図っている。
【００４２】
また、ステップＳ２６乃至Ｓ２９では、ステップＳ２６乃至Ｓ２９では、最短マーク、２番目に短いマーク、３番目に短いマーク、４番目に短いマークから最長マークの各マークを記録するためのライトストラテジの先頭パルスＦのパルス幅１ＴＦ、２ＴＦ、３ＴＦ、ＬＴＦを求める際に、
Ｄｉ×｜（λ２−λ１）｜（ｉ＝１、２、３、Ｌ）      …（１４）
で算出された値を加算しているが、これは、波長感度依存性、例えば、色素系記録媒体の波長感度依存性による感度の低下を補償するためである。
【００４３】
さらにまた、上記ステップＳ３において、光ディスクから読み出された推奨アシンメトリ値β１に基づいて、記録に用いるアシンメトリ値β２を計算により求めている。言換えれば、光ディスクに記録されたアシンメトリ値β１を補正した上で用いている。その理由は、以下の通りである。
即ち、上記の開口数の違いにより、検出されるアシンメトリ値にも違いが現れる。例えば、ＮＡ１＜ＮＡ２である場合、すなわち、記録に用いられる光記録再生装置１００が有する対物レンズ１５０の開口数ＮＡ２が、光ディスク１６０に推奨アシンメトリ値を記録したときの記録条件における対物レンズの開口数ＮＡ１よりも大きい場合には、開口数ＮＡ２の対物レンズにより検出されるアシンメトリ値は、開口数ＮＡ１の対物レンズにより検出されるアシンメトリ値よりも大きい値となる。従って、推奨アシンメトリ値β１を目標に開口数ＮＡ２の対物レンズにより記録を行うと、開口数の違いによりアシンメトリ値が大きく検出され、推奨アシンメトリ値β１よりも小さいアシンメトリ値で記録されてしまう。その為、開口数ＮＡ２の対物レンズにより記録を行う場合は推奨アシンメトリ値β１よりも大きい値に目標を設定するのが望ましい。
【００４４】
以下上記の点についてさらに詳しく説明する。まず、ライトストラテジの最適化について説明する。最適化のための補正を計算式によって行うことができれば、好都合であるが、どのような計算式を用いれば良いのか不明であった。
【００４５】
そこで、本発明者等は、記録に用いられる光記録装置の記録条件が、ライトストラテジ推奨値を定める際に用いられた記録条件と異なる場合に、再生ジッタが最小となる条件を求める実験を種々行った。その一部として、（他の条件を一定として）再生ジッタと、ライトストラテジの先頭パルスの幅との関係を着目し、再生ジッタを最小にする先頭パルス幅を求める実験を行った。
そして、再生ジッタを最小にする先頭パルス幅ｉＴＦ（ｏ）（このように再生ジッタを最小にするパルス幅を、「最適パルス幅」或いは「パルス幅の最適値」と言うことがある）と、パルス幅推奨値ｉＴＰの、最短マーク記録のためのライトストラテジ推奨値の先頭パルス幅の２乗（１ＴＰ＾２）に対する比（以下、「比（ｉＴＰ／１ＴＰ＾２）」或いは「正規化されたパルス幅」と言うことがある）との関係に直線性があること、即ちこの関係が以下の計算式（１５）で表される直線により近似できることを、実験で得られたデータに対して回帰分析を行うことにより、見出した。但し、ここでｉＴＰ、１ＴＰは、チャネルクロックの周期に対する倍数で表す。また、Ｋｉ、Ｃｉ（ｉ＝１、２、３、又はＬ）は定数である。
ｉＴＦ（ｏ）＝Ｋｉ×（ｉＴＰ／１ＴＰ＾２）＋Ｃｉ      …（１５）
式（１５）は、それぞれ以下のように書換えられる。
即ち、最短マークについては、ｉ＝１であり、
１ＴＦ（ｏ）＝Ｋ１×Ｘ１＋Ｃ１      …（１６）
２番目に短いマークについては、ｉ＝２であり、
２ＴＦ（ｏ）＝Ｋ２×Ｘ２＋Ｃ２      …（１７）
３番目に短いマークについては、ｉ＝３であり、
３ＴＦ（ｏ）＝Ｋ３×Ｘ３＋Ｃ３      …（１８）
４番目に短いマークから最長マークについては、ｉ＝Ｌであり、
ＬＴＦ（ｏ）＝ＫＬ×ＸＬ＋ＣＬ      …（１９）
【００４６】
図６乃至図９は、それぞれ、最短マーク、２番目に短いマーク、３番目に短いマーク、４番目に短いマークから最長マークまでの記録に用いられるライトストラテジについて上記のようにして求められた直線を示す。
図６乃至図９に示されたそれぞれの直線の傾きＫｉ及び縦軸切片Ｃｉ（ｉ＝１、２、３、Ｌ）は以下の通りである。
Ｋ１＝０．４５８
Ｃ１＝１．５０８
Ｋ２＝０．５８６
Ｃ２＝１．４１
Ｋ３＝０．８２５
Ｃ３＝１．２８
ＫＬ＝０．５６２
ＣＬ＝１．４５６
【００４７】
図６乃至図９にはまた、それぞれの（ｉＴＰ／１ＴＰ＾２）に対して、再生ジッタが最小になる先頭パルス幅の値、即ち先頭パルス幅の最適値ｉＴＦ（ｏ）（ｉ＝１、２、３又はＬ）が○印で示されている。各図から、最適値の、近似直線からの隔たり（近似誤差）が小さいことが確認できる。
【００４８】
なお、図６乃至図８に結果が示される実験を行ったときの条件は以下の通りである。即ち、光ディスク１６０にライトストラテジ推奨値を記録したときの記録条件における対物レンズの開口数ＮＡ１は０．６０であり、この実験において使用した、光記録再生装置１００が有する対物レンズ１５０の開口数ＮＡ２は０．６４で、半導体レーザ１１０の波長λ２は６５７ｎｍであった。
【００４９】
上記のように、特定の光記録装置においては、定数を上記のように定めれば良い結果が得られることが分った。
しかし、上記の値に限らず、係数Ｋ１の値を０．４６付近、定数Ｃ１の値を１．５１付近、係数Ｋ２の値を０．５９付近、定数Ｃ２の値を１．４１付近、係数Ｋ３の値を０．８３付近、定数Ｃ３の値を１．２８付近、係数ＫＬの値を０．５６付近、定数ＣＬの値を１．４６付近に定めれば満足できる結果が得られるものと考えられる。
【００５０】
また、上記のように、最適のパルス幅（ライトストラテジの先頭パルスの幅）は、記録に用いる光の波長の影響を受けるので、光記録装置の波長が、ライトストラテジ推奨値を定める際に用いられた記録条件の波長と異なる場合には、記録に用いるパルス幅の決定に当たり、波長の違いをも考慮に入れるのが望ましい。本実施の形態では、波長の差がしきい値Δλｔ、例えば３ｎｍよりも大きいときに（Ｓ２１で「Ｆ」）、波長の差に基づいて定めた補正量を加算することとしている（Ｓ２６乃至Ｓ２９）。
この補正量は、以下の式（２０）乃至（２３）
Ｄ１×｜λ２−λ１｜      …（２０）
Ｄ２×｜λ２−λ１｜      …（２１）
Ｄ３×｜λ２−λ１｜      …（２２）
ＤＬ×｜λ２−λ１｜      …（２３）
のように、定めれば良い。
【００５１】
また、特定の光記録装置については、係数Ｄ１、Ｄ２、Ｄ３、ＤＬをすべて０．０３２とするのが良いと分った。
上記のように、特定の光記録装置においては、定数Ｄ１、Ｄ２、Ｄ３、ＤＬを、上記のように定めれば良い結果が得られることが分った。
しかし、上記の値に限らず、例えば、前記係数Ｄ１の値を、０．０３付近に定めれば満足できる結果が得られるものと考えられる。
また、上記のように、Ｄ１、Ｄ２、Ｄ３、ＤＬとして同じ値のものを用いる代わりに、異なる値のものを用いても良い。
【００５２】
さらにまた、｜λ２−λ１｜が３ｎｍ以下のときは（Ｓ２１で「Ｆ」）、３ｎｍが波長の測定の誤差の範囲内であり、また、Ｄｉ×｜λ２−λ１｜の加算の影響が小さいので、加算を省略しても良いことも分った。図５のステップＳ２２乃至Ｓ２５では、Ｄｉ×｜λ２−λ１｜の加算を行わないのは、その理由による。
【００５３】
次にアシンメトリ値の修正について述べる。
上記のように、最適のアシンメトリ値は、記録に用いる光記録装置の開口数の影響を受けるので、光記録装置の開口数が、ライトストラテジ推奨値を定める際に用いられた記録条件の開口数と異なる場合には、記録に用いるアシンメトリ値の決定に当たり、開口数をも考慮に入れるのが望ましい。本実施の形態では、開口数の差に基づいて定めた補正量を、推奨アシンメトリ値β１に加算することにより、記録に用いるアシンメトリ値β２を求めている。具体的には、上記の式（４）を用いるのが適切であることが分った。
β２＝β１＋Ｅ×（ＮＡ２−ＮＡ１）      …（４）
図４のステップＳ３で、式（４）を用いるのはその理由による。
【００５４】
図１０は、推奨アシンメトリ値β１の値が互いに異なる複数の光ディスクについて、特定の光記録再生装置１００において再生ジッタが最小となるアシンメトリ値β２の値を△印で示すとともに、式（４）でＥ＝１．４９３としたときに得られるアシンメトリ値β２を直線で示す。図１０に示すように、式（４）を用いることで、再生ジッタが最小となるアシンメトリ値（最適アシンメトリ値）を直線近似ができることが分かった。
なお、上記のように、特定の光記録装置においては、定数Ｅの値を上記のように定めれば良い結果が得られることが分った。
しかし、上記の値に限らず、係数Ｅの値を１．５付近に定めれば満足できる結果が得られるものと考えられる。
【００５５】
図１１に１０種類の光ディスクＡ〜Ｊにおいて、３種類のパルスパターンをそれぞれ用いて記録した場合の再生ジッタを示す。
図１１において、×印は、各光ディスクに記録されたライトストラテジ推奨値を用いて記録した場合の再生ジッタを示している。
また△印は、各光ディスクに最適な再生ジッタが得られるように調整した最適なライトストラテジ推奨値を用いて記録した場合の再生ジッタを示している。
また○印は、前述の式（６）〜（１３）、（４）を用いて修正されたライトストラテジ推奨値を用いて記録した場合の再生ジッタを示している。
この場合、式（６）〜（１３）、（４）中の各定数を、Ｋ１＝０．４５８、Ｃ１＝１．５０８、Ｋ２＝０．５８６、Ｃ２＝１．４１、Ｋ３＝０．８２５、Ｃ３＝１．２８、ＫＬ＝０．５６２、ＣＬ＝１．４５６、Ｅ＝１．４９３とした。
図１１においては、各光ディスクに記録されたライトストラテジ推奨値を用いて記録した場合（×）よりも、修正されたライトストラテジ推奨値を用いて記録した場合（○）の方が、全てのディスクで良好な再生ジッタを得ることができた。また、修正されたライトストラテジ推奨値を用いて記録を行う場合（○）には、最適なライトストラテジを用いて記録を行った場合（△）とほぼ同じくらい良好な再生ジッタを得ることができた。
【００５６】
以上のように、本実施の形態によれば、光記録装置の光ピックアップの光学系の特性に応じて最適のライトストラテジやアシンメトリ値を用いて記録を行うことができる。
【００５７】
例えば、一般的に光記録媒体に記録されている推奨値を決定した際の開口数や波長等の光学系条件は、市販される光記録装置が有する光学的条件と異なっているが、市販の光記録装置、特にその光ピックアップの光学系の仕様と、推奨値を決定した際の光学系の仕様との違いを考慮して、各光記録装置に適したライトストラテジやアシンメトリ値を求めることができ、各光記録装置に適したライトストラテジで記録を行うことができる。
【００５８】
即ち、各光記録装置、特にその光ピックアップの光学系の特性、特に対物レンズの開口数を含めた光学系の違いに着目して、実験的に、ライトストラテジやアシンメトリ値の決定に用いる計算式の定数（Ｋｉ、Ｃｉ、Ｄｉ、Ｅ）を求め、これを光記録装置内に、例えば中央制御部のＲＯＭ内に格納しておき、記録を行う際にこれらの定数を読み出して用いることにより、各記録装置に適したライトストラテジやアシンメトリ値を容易に計算することができる。
なお、定数の決定は各型式の光記録装置に対して一度行えば良く、同じ型式の多数の光記録装置に対して同じ定数を用いることができる。即ち、ある型式の光記録装置に関して定数が求めたら、求められた定数を同じ型式の光記録装置に設定して出荷することとすれば良い。
光記録再生装置１００の仕様が変更になった場合は、式（６）〜（１３）、（４）の定数（Ｋｉ、Ｃｉ、Ｄｉ、Ｅ）を再度選定乃至決定することにより、ストラテジ条件の最適化を簡単に行うことができ
る。
【００５９】
また、実施の形態１に係る光記録方法においては、光ディスク１６０に記録されたライトストラテジ推奨値と推奨アシンメトリ値を、式（６）〜（１３）、（４）を用いて算出するので、多くのストラテジ情報を保持する必要がなく、任意の記録再生装置および記録媒体に対応して記録を行うことができる。
【００６０】
さらにまた、ライトストラテジ推奨値と推奨アシンメトリ値をそのまま用いる場合よりも良好で、各光ディスクで最適なライトストラテジ推奨値を用いる場合と同等に良好な記録を行うことができる。従って、予め最適なライトストラテジ情報が分かっていない光ディスクに対しても、良好な記録を行うことができる。
【００６１】
なお、上記の実施の形態では、｜λ２−λ１｜がしきい値Δλｔ以下のときは、Ｄｉ×｜λ２−λ１｜を加算しないようにしているが、これは計算を簡単にするためであり、｜λ２−λ１｜自体が小さければ加算しても結果に与える影響が小さいので加算するようにしても良い。
また、波長の違いを考慮せず、式（２０）乃至（２３）による補正量の加算を行わないこととしても良い。
さらに、開口数の違いによるアシンメトリ値の修正を行わないこととしても良い。
【００６２】
なお、上記の例では、４番目に短いマークを記録するために用いられるライトストラテジの先頭パルスのパルス幅を、５番目に短いマークを記録するために用いられるライトストラテジから最長マークを記録するために用いられるライトストラテジまでのすべてのライトストラテジでも用いることとしているが、それぞれのマークに対して異なるパルス幅を設定した場合にも本発明を適用することができる。
【００６３】
上記の実施の形態では、ライトストラテジの決定に当たり、ライトストラテジ推奨値に含まれる各マーク（ｉ番目に短いマーク）を記録するための先頭パルスの幅の推奨値（ｉＴＰ）の、ライトストラテジ推奨値に含まれる最短マークを記録するための先頭パルスの幅（１ＴＰ）の推奨値の２乗（１ＴＰ＾２）に対する比（ｉＴＰ／１ＴＰ＾２）に基づいて、ライトストラテジの各マークを記録するための先頭パルスの幅を求めている。そして、ライトストラテジの先頭のパルスのパルス幅を変えることとしている。しかし、ライトストラテジの他の構成を変えることとして良い。
【００６４】
また、ライトストラテジの決定に用いられる計算式は、上記の比（ｉＴＰ／１ＴＰ＾２）を含むものに限定されない。
【図面の簡単な説明】
【００６５】
【図１】この発明の実施の形態１における光記録再生装置を示すブロック図である。
【図２】この発明の実施の形態１におけるアシンメトリ検出部において、検出される再生信号のアシンメトリ値の例を示した図である。
【図３】この発明の実施の形態１における光記録再生装置において、光ディスクが色素系媒体である場合に生成するライトストラテジの例を示した図である。
【図４】この発明の実施の形態１における光記録再生装置における、記録の手順を示すフローチャートである。
【図５】この発明の実施の形態１における光記録再生装置において、光ディスクに記されたライトストラテジの推奨値からライトストラテジを算出するフローチャートである。
【図６】この発明の実施の形態１における光記録再生装置においてライトストラテジ推奨値の比１ＴＰ／（１ＴＰ＾２）とパルス幅１ＴＦの関係を示した図である。
【図７】この発明の実施の形態１における光記録再生装置においてライトストラテジ推奨値の比２ＴＰ／（１ＴＰ＾２）とパルス幅２ＴＦの関係を示した図である。
【図８】この発明の実施の形態１における光記録再生装置においてライトストラテジ推奨値の比３ＴＰ／（１ＴＰ＾２）とパルス幅３ＴＦの関係を示した図である。
【図９】この発明の実施の形態１における光記録再生装置においてライトストラテジ推奨値の比ＬＴＰ／（１ＴＰ＾２）とパルス幅ＬＴＦの関係を示した図である。
【図１０】この発明の実施の形態１における、光ディスクに記録された推奨アシンメトリ値β１と記録に用いられるアシンメトリ値β２の関係を示した図である。
【図１１】この発明の実施の形態１における光記録再生装置において記録に用いるライトストラテジとジッタ値の関係を示した図である。
【符号の説明】
【００６６】
１００  光記録再生装置、  １１０  半導体レーザ、  １２０  レーザ駆動部、  １３０  コリメートレンズ、  １４０  ビームスプリッタ、  １５０  対物レンズ、  １６０  光ディスク、  １７０  検出レンズ、  １８０  受光素子、  １９０  ヘッドアンプ、  ２００  データデコーダ、  ２１０  プリピット検出部、  ２２０  アシンメトリ検出部、  ２３０  データエンコーダ、  ２４０  レーザ波形制御部、  ２５０  中央制御部。
【図１】
2005251258.tif 000003
【図２】
2005251258.tif 000004
【図３】
2005251258.tif 000005
【図４】
2005251258.tif 000006
【図５】
2005251258.tif 000007
【図６】
2005251258.tif 000008
【図７】
2005251258.tif 000009
【図８】
2005251258.tif 000010
【図９】
2005251258.tif 000011
【図１０】
2005251258.tif 000012
【図１１】
2005251258.tif 000013
【手続補正書】
【提出日】平成17年5月2日(2005.5.2)
【手続補正１】
【補正対象書類名】特許請求の範囲
【補正対象項目名】全文
【補正方法】変更
【補正の内容】
【特許請求の範囲】
【請求項１】
ライトストラテジ推奨値が記録された光記録媒体から、前記ライトストラテジ推奨値を読み取る読み取り工程と、読み取られたライトストラテジ推奨値と、記録に用いられる光記録装置の光ピックアップの光学系の特性とに基づいて、記録に用いるべきライトストラテジを求める決定工程と、求められたライトストラテジを用いて、前記光記録装置により、前記光記録媒体への書き込みを行う書き込み工程とを有し、
前記決定工程が、前記ライトストラテジ推奨値に含まれる各マークを記録するためのライトストラテジの先頭パルスの幅の推奨値と、前記ライトストラテジ推奨値に含まれる最短マークを記録するためのライトストラテジの先頭パルスの幅の推奨値の２乗に対する比に基づいて、各マークを記録するためのライトストラテジの先頭パルスの幅を求めることを特徴とする光記録方法。
【請求項２】
前記決定が、記録に用いられる光記録装置について予め定められている計算式を用いた演算により行われることを特徴とする請求項１に記載の光記録方法。
【請求項３】
ライトストラテジの各マークを記録するためのライトストラテジについて、実験により再生ジッタが最小となる先頭パルスの幅を求め、前記実験により求められた先頭パルスの幅が算出結果又はそれに近似する値となるような計算式を生成しておき、
生成された計算式を、前記決定工程における演算に用いることを特徴とする請求項２に記載の光記録方法。
【請求項４】
前記計算式が
ｉＴＦ＝Ｋｉ・（ｉＴＰ／１ＴＰ＾２）＋Ｃｉ        …（１）
（ｉＴＦは、ｉ番目に短いマークを記録するために用いられるライトストラテジの先頭パルスのパルス幅、
ｉＴＦは、ｉ番目に短いマークを記録するためのライトストラテジ推奨値の先頭パルスのパルス幅、
１ＴＰは、最短マークを記録するためのライトストラテジ推奨値の先頭パルスのパルス幅、
Ｋｉ、Ｃｉは、ｉ番目に短いマークを記録するために用いられるライトストラテジの決定のための定数）
で表されることを特徴とする請求項２又は３に記載の光記録方法。
【請求項５】
前記読み取り工程が、前記光記録媒体から波長推奨値をも読み取り、
前記計算式が
ｉＴＦ＝Ｋｉ・（ｉＴＰ／１ＴＰ＾２）＋Ｃｉ＋Ｄｉ×｜λ２−λ１｜    …（２）
（ｉＴＦは、ｉ番目に短いマークを記録するために用いられるライトストラテジの先頭パルスのパルス幅、
ｉＴＦは、ｉ番目に短いマークを記録するためのライトストラテジ推奨値の先頭パルスのパルス幅、
１ＴＰは、最短マークを記録するためのライトストラテジ推奨値の先頭パルスのパルス幅、
λ２は、記録に用いられる光記録装置のレーザ光の波長、
λ１は、波長推奨値、
Ｋｉ、Ｃｉ、Ｄｉは、ｉ番目に短いマークを記録するために用いられるライトストラテジの決定のための定数）
で表されることを特徴とする請求項２又は３に記載の光記録方法。
【請求項６】
前記読み取り工程が、前記光記録媒体から波長推奨値をも読み取り、
｜λ２−λ１｜が所定値以下のときは、前記計算式が
ｉＴＦ＝Ｋｉ・（ｉＴＰ／１ＴＰ＾２）＋Ｃｉ        …（１）
で表され、
ｉＴＦ＝Ｋｉ・（ｉＴＰ／１ＴＰ＾２）＋Ｃｉ＋Ｄｉ×｜λ２−λ１｜    …（２）
（ただし、式（１）及び（２）において、
ｉＴＦは、ｉ番目に短いマークを記録するために用いられるライトストラテジの先頭パルスのパルス幅、
ｉＴＦは、ｉ番目に短いマークを記録するためのライトストラテジ推奨値の先頭パルスのパルス幅、
１ＴＰは、最短マークを記録するためのライトストラテジ推奨値の先頭パルスのパルス幅、
λ２は、記録に用いられる光記録装置のレーザ光の波長、
λ１は、波長推奨値、
Ｋｉ、Ｃｉ、Ｄｉは、ｉ番目に短いマークを記録するために用いられるライトストラテジの決定のための定数）
ことを特徴とする請求項２又は３に記載の光記録方法。
【請求項７】
すべてのｉについてＤｉが互いに等しいことを特徴とする請求項５又は６に記載の光記録方法。
【請求項８】
４番目に短いマークを記録するために用いられるライトストラテジの先頭パルスのパルス幅が、５番目に短いマークを記録するために用いられるライトストラテジから最長マークを記録するために用いられるライトストラテジまでのすべてのライトストラテジでも用いられることを特徴とする請求項４乃至７のいずれかに記載の光記録方法。
【請求項９】
前記読み取り工程が、さらに推奨アシンメトリ値を読み取り、前記推奨アシンメトリ値と、記録に用いられる光記録装置の対物レンズの開口数とに基づき、記録に用いられるアシンメトリ値を求めるアシンメトリ値を決定する決定工程をさらに含み、
前記光記録媒体に記録された推奨アシンメトリ値がβ１であり、
推奨値を決めるために用いられた対物レンズの開口数がＮＡ１であり、
記録に用いられる光記録装置の対物レンズの開口数がＮＡ２であるときに、
前記記録に用いられるアシンメトリ値をβ２を下記の式
β２＝β１＋Ｅ×（ＮＡ２−ＮＡ１）      …（４）
で求めることを特徴とする請求項１乃至８のいずれかに記載の光記録方法。
【請求項１０】
ライトストラテジ推奨値が記録された光記録媒体から、前記ライトストラテジ推奨値を読み取る読み取り手段と、読み取られたライトストラテジ推奨値と、記録に用いられる光記録装置の光ピックアップの光学系との特性とに基づいて、記録に用いるべきライトストラテジを求める決定手段と、求められたライトストラテジを用いて、前記光記録装置により、前記光記録媒体への書き込みを行う書き込み手段とを有し、
前記決定手段が、前記ライトストラテジ推奨値に含まれる最短マークを記録するためのライトストラテジの先頭パルスの幅の推奨値の２乗に対する比に基づいて、各マークを記録するためのライトストラテジの先頭パルスの幅を求めることを特徴とする光記録装置。
【請求項１１】
前記決定手段が、記録に用いられる光記録装置について予め定められている計算式を用いた演算により前記決定を行うことを特徴とする請求項１０に記載の光記録装置。
【請求項１２】
前記決定手段は、ライトストラテジの各マークを記録するためのライトストラテジについて、実験により再生ジッタが最小となる先頭パルスの幅を求め、前記実験により求められた先頭パルスの幅が算出結果又はそれに近似する値となるように予め定められた計算式で前記演算を行うものであることを特徴とする請求項１１に記載の光記録装置。